(57)【特許請求の範囲】
【請求項１】
ばね締め具である、半径方向外側に突き出た２本のアームを有するホース締金の締付け、および弛緩または拡開を行うための工具であって、
操作部（１０）、該操作部（１０）と一端が連結されたボーデンケーブル（１１）、および前記ボーデンケーブル（１１）の他端に設けられ、前記ホース締金に作用する締付け具（１２）を備えた工具において、
前記ボーデンケーブル（１１）は、ボーデンケーブル芯線（３８）とボーデンケーブル套管（３７）からなり、
前記操作部（１０）は、前記ボーデンケーブル芯線（３８）を送る送り装置（２０〜２２）と、前記ボーデンケーブル芯線（３８）をロックするロック装置（２６〜３２）とを有し、
前記締付け具（１２）は、該２本のアームにそれぞれ取り付けられ、前記ボーデンケーブル芯線（３８）と接続された２つのあご（４０，４１）を有し、前記操作部（１０）による前記ボーデンケーブル芯線（３８）の操作によって、該２本のアームの対向締付け運動が実施され、
前記操作部（１０）の前記送り装置（２０〜２２）と前記ロック装置（２６〜３２）とを互いに連携させて、複数回に及ぶばね締め具を締め付ける締付けストロークを、所与の係止段なしに、１回の前記締付けストロークごとにロックして、ばね締め具の締付けに必要な、締付けストローク数が達成されるまで実施し得るように構成されていることを特徴とする工具。
【請求項２】
前記操作部（１０）は、断続的な前記締付けストロークでプッシュディスク（２１）とロックレバー（２６）とを介して送られる、操作部本体の前端壁（２３）から両側に突き出た滑らかなプッシュロッド（１５）で形成され、ボーデンケーブル套管（３７）はプッシュロッド（１５）の前端に固定される一方でボーデンケーブル芯線（３８）は該プッシュロッド出口近傍の前端壁（２３）に固定され、前記操作部（１０）のヘッド部（１４）の長さは、プッシュディスク（２１）と該ディスクの戻しばね（２２）とを収容してプッシュロッド（１５）の長手方向ガイドを実現するように寸法設計されていることを特徴とする請求項１に記載の工具。
【請求項３】
プッシュロッド（１５）の前端に締付けボディー（３５）が固定され、該ボディーは半径方向偏心個所に、締付けボディー（３５）に該プッシュロッドを嵌挿固定するための孔と平行に配置されたボーデンケーブル套管（３７）用固定孔（３６）を有することを特徴とする請求項２に記載の工具。
【請求項４】
締付けボディー（３５）はプッシュロッド（１５）に、ボーデンケーブル芯線（３８）は前端壁（２３）にそれぞれ着脱可能に固定され、ボーデンケーブル（１１）は半径方向から作用する締付けねじ（７２）を介して締付けボディー（３５）内に固定することができるため、ボーデンケーブル芯線（３８）はボーデンケーブル套管（３７）内に不動に保定されることができることを特徴とする請求項３に記載の工具。
【請求項５】
ケーシング前端壁（２３）に固定ボディー（７０）が着脱式に配置され、プッシュロッド（１５）が該ボディーを貫通し、前記ボーデンケーブル芯線（３８）の端部が該ボディーに固定されていることを特徴とする請求項２に記載の工具。
【請求項６】
締付けボディー（３５）は複数のボーデンケーブル（１１）を固定し得るように形成され、複数の収容孔（３６）はプッシュロッド収容孔に対して対称的に配置されていることを特徴とする請求項３または４に記載の工具。
【請求項７】
締付け具（１２）の２つのあご（４０，４１）は個々に独立した要素片を成し、該あごはそれに設けられた横行溝（４２）を経て２本の締金アーム（２，３）をＵ字形に包容することを特徴とする請求項１に記載の工具。
【請求項８】
前記２つのあご（４０，４１）のうち１つである第一のあご（４０）はボーデンケーブル芯線（３８）によって貫通されて引張り方向に容易に可動し、他方、套管（３７）は該あご片に固定され、該あご片から突出した前記ボーデンケーブル芯線（３８）は、前記２つのあご（４０，４１）のうちの残りの１つである第二のあご（４１）に固定されていることを特徴とする請求項７に記載の工具。
【請求項９】
前記ボーデンケーブル芯線（３８）は前記第二のあご（４１）に掛脱式に固定され、前記第二のあご（４１）の上面に横行溝（４２）に対して横方向に走る掛止溝（４４）が設けられていることを特徴とする請求項８に記載の工具。
【請求項１０】
少なくとも１つのあご（４０，４１）はあご枠によって締金アームに外嵌掛止される角形フレーム（５０）状に形成されていることを特徴とする請求項７に記載の工具。
【請求項１１】
片側締付け方向に突き出た１枚の帯状のばねアーム（５６）は第二のあご（４１）に固定され、該アームは第一のあご（４０）を可動式に貫いて第一のあご（４０）から突き出た端部に前記ボーデンケーブル芯線（３８）用の掛止穴（５８）を有し、他方、ボーデンケーブル套管（３７）はプッシュボディー（６０）に固定され、該ボディーは前記ボーデンケーブル芯線（３８）と該ばねアーム端とを経て作用して該ボディー端面を、引張り締付けが行われる間、第一のあご（４０）の前端面に圧接することを特徴とする請求項１に記載の工具。
【発明の詳細な説明】
【０００１】
（技術分野）
本発明はたとえば自動車組立て分野において使用される、請求項１に記載の上位概念に基づくばね締め具、特に互いに８０°以下の角度を成して半径方向外側に突き出た２本のアームを有するホース締金の締付けまたは弛緩／拡開を行うための工具に関する。
【０００２】
（背景技術）
近来、自動車組立て分野において、ねじで締め付けられる従来通例のホース締金に代えて自動締付け式ホース用ばね締金を使用することが知られている。このばね締金によりたとえば冷却器またはエンジンへの冷却水ホースの連結が行われる。このばね締金の弛緩には、これまで大半の場合に、特殊な比較的大きい、したがって扱いにくいやっとこが使用されてきた。
【０００３】
たとえばＤＥ ３３ ４３ ５０１ Ｃ１にはばねリング締金を拡開するための工具が記載されており、該工具の操作部はシール・接着剤用カートリッジガンと同様に形成されている。プッシュロッドは長手方向に歯形を有し、該歯形は送り・ロック爪と連携する。操作部の比較的長く太いシャフトの端部には互いに１８０°以上の角度を成すばねアームを掛止するための支え面を有した２本の脚が設けられている。さらにプッシュロッドはピストンとして形成されており、該ピストンがアームに保持されたリングの中心を押すことにより該リングは拡開される。したがってこの工具は自由に接近することのできる場所でしか使用することができず、しかも基本的に対角線状に対向したアームを有するばね締金に使用され、互いに１８０°以下の角度を成すアームを有するばね締金には使用することができない。またプッシュロッド歯形を介した送りによって最小締付けストロークが定められていることから、無段でごく僅かな締付けストロークを実現することは不可能である。
【０００４】
ＷＯ ９８／２６９０４、ＤＥ ２９６ ０３ ４２５ Ｕ１ならびにパシュケ［Ｐａｓｃｈｋｅ］社の製品パンフレット“ＰＲＯＦＩＴＥＣ”、２７ページの“新製品'９６”からホース締金の締付け、ロックおよび弛緩に使用されるホース締金用の各種やっとこが公知である。これらはそれぞれやっとこ状の操作部から成り、その前方の締付けアームにはボーデンケーブルの一端したがって芯線と套管が固定されており、やっとこグリップアームを挟扼すると締付けアームが開放されてボーデンケーブル芯線が相応して套管から引出される。ボーデンケーブルの他端は互いに相対運動し得る２つの締付けあごから成る締付け具に固定されており、該あごを経てホース締金のアームが握持され、操作部を経てボーデンケーブル芯線が引張られると締金アームが挟扼される。これにより締金の締付け直径が拡開され、締金はホースを解放する。これらの公知のホース締金用やっとこはさらにロック装置を有し、該装置は所要の締付けストロークが達成されると自動的に係合し、やっとこはもはや手によって挟扼保持される必要はなくなり、弛緩された締金は締金アームを締付けて保持している締付け具または場合によりホースと一緒に取り外される。こうした公知のホース締金用やっとこにおいて、締付け・弛緩ストロークは操作部アームの一回の挟扼によって実施され、またその際に所定のストローク長しか所与でない。さまざまなストローク、したがってさまざまな強さによる締金の締付け・弛緩は実現不可能である。さらに、締付け具の基本的に互いに平行に整列している締付けあごは締金アームをそれらの互いに外側を向いた面ないし側端でしか握持していない。したがって締金アームが強く挟扼圧接され、該アームがほぼ平行に整列して締金が弛緩した状態になると締付けあごが該アームから容易に外れることがあり、そのため締金アームが締付けられた状態ないし締金が拡開された状態での操作は十分な安定性を欠くことになる。最後に付言すれば、締付けあごのプッシュガイドが比較的長く、剛的であることから、接近が比較的困難な場所での使用は不可能であるかまたは少なくとも同所において最適な使用を実現することは不可能である。
【０００５】
（発明の開示）
そこで本発明の目的は、構造および取扱いが簡単で安定した、接近が比較的困難な場所でも多様かつ最適な使用が可能であって、所定の係止段のない無段で任意の短さの締付けストロークを実現することのできる前記タイプの工具を提供することである。
【０００６】
前記課題は請求項１に記載の特徴を有する工具によって実現される。好適な実施形態は従請求項に記載する。
【０００７】
前記目的に応じ、操作部と該操作部に設けられたロック装置とは互いに連携し、その都度複数回に及ぶ任意の長さないし短さの無段の締付けストロークをその都度ロックして所要の総締付けストロークが達成されるまで実施し得るように構成されている。これにより、特に、片手では行えないような長い挟扼締付けストロークが実施されなければならない場合に、もはや一定の前以って定められた総締付けストロークを操作部グリップアームのたった一回だけの挟扼によって行うような操作は不必要であるという特別な利点が得られる。今や本発明により、操作部での複数回に及ぶそれぞれ短い“反復式”挟扼運動、つまり、歯形等による段付け制限のない任意長の比較的短い複数回に及ぶ連続的な締付けストロークによって締付けあごの総締付けストロークを達成することができる。これは特段の力を要することなく片手で行うことができるため、同時に、空いたもう一方の手で、締金がホースから取り外せるかまたはたとえばエンジンからホースとともに取り外せるほど十分に弛んでいるか否かを確かめることができる。
【０００８】
本発明による工具の操作部は基本的にシール・接着剤カートリッジ用のそれ自体公知のカートリッジガンと同様に、断続的に短いストロークでプッシュディスクとロックレバーとを介して送られる滑らかなプッシュロッドで形成されているのが好適である。この場合、現在市販されているカートリッジガンの操作部をそれ自体として使用することが可能である。ただし、所定の係止装置なしにプッシュロッドの連続的な送りが行われるようにするため、（係止歯列と係止レバーのない）滑らかなプッシュロッドが、断続的に連携するプッシュディスクおよびロックレバーとともに設けられることとなり、本発明による工具の原理からして、カートリッジを収容するためケーシング部に銃身状に突き出た受け具は取除かれ、所要ストロークが僅かであることからプッシュロッドは短縮され、ボーデンケーブルが適切に取付けられなければならない。本発明によりボーデンケーブルは操作部のケーシング前面壁に固定されており、ボーデンケーブル套管はプッシュロッドの前端部に固定され、他方、ボーデンケーブル芯線はケーシング前面壁のプッシュロッド出口近傍に取付けられている。この場合、プッシュロッドが送られると套管も送られ、これによりボーデンケーブルの他端では套管から突き出ている芯線が套管内側に向かって引張られるか短縮され、締付けあごが互いに締付けもしくは圧接されることとなる。
【０００９】
プッシュロッドの前端には締付けボディーが固定され、該締付けボディーは半径方向偏心個所にプッシュロッド固定孔と平行に配置されたボーデンケーブル固定孔を有しているのが好適である。この場合、締付けボディーはプッシュロッドに、ボーデンケーブルはケーシング前面壁にそれぞれ容易に着脱し得るようにして固定され、同時にボーデンケーブルをたとえば半径方向から作用する締付けねじによって締付けボディー内で締付け固定すること、つまりボーデンケーブル芯線をボーデンケーブル套管内または締付けボディー内に不動に固定することができれば、操作部とボーデンケーブルとを容易かつ速やかに切り離し、該操作部を他の同様に形成されたボーデンケーブルと連携させて別途に使用することができる。したがってこれから看取し得るのは、締金ばねを締付けた、すなわち締金を拡開ないし弛緩させた状態でボーデンケーブルを締付け固定することができ、こうして拡開／締付けの行われたばね締金とともにボーデンケーブルを容易に切り離し、今や自由となった操作部を用いて他の締金の締付け／弛緩を行うことができるということである。それゆえ単一の操作部を複数のボーデンケーブルおよび締付けあごと連結・連携させることにより多様に使用することのできる１つの工具セットを形成することが可能である。
【００１０】
ケーシング前面壁に固定ボディーが着脱式に配置され、該ボディーはプッシュロッドによって貫通されているとともに該ボディーに芯線端がたとえば容易に掛脱し得るようにしてまたはその他の公知の方法で容易に掛止しうるようにして固定されていれば、ケーシング側芯線端はケーシングから特に容易に切離すことができることとなる。ただし固定ボディーはケーシング前面壁に固定されて配置されているかまたはケーシングの一部とされていてもよいことは言うまでない。
【００１１】
プッシュロッドに固定される締付けボディーは複式締付けボディーとして形成されているのも好適であり、すなわちプッシュロッドに固定するための１つの締付け固定孔に対して複数のたとえば３本のボーデンケーブル用の複数の締付け固定孔が前記孔に対して対称的に配置されて設けられていてもよい。この場合には同じく固定ボディーにも複数のボーデンケーブル芯線用の同数の掛止・固定手段が設けられていなければならないのは言うまでもない。これにより単一の操作部を用いて自動車の１部品のすべての締金を１回の作業工程で拡開ないし締付けることができ、したがってたとえば冷却装置接続口の３つの締金の全部つまり流入、流出および換気接続口の締金全部の同時拡開／締付けを行うことが可能である。拡開を行った後、３本のボーデンケーブルをすべて締付けボディー部で締付け固定し、締付けボディーをプッシュロッドから、芯線を固定ボディーから一緒に容易に切離し、重くて場所を取る操作部を分離して、一旦そのままにしておくことができる。当該修理が実施され、ホースが再び接続されて締金を締付ける必要が生じれば、再び芯線を掛止し、プッシュロッドに締付けボディーを取付けて操作部を弛めればよい。操作部の弛めはカートリッジガンの場合と基本的に同様にロックレバーを押すことによって行われ、これによってプッシュロッドが解放される。前記ガンの場合には解放後にプッシュロッドは手で引戻されなければならないが、他方、本発明による工具ではプッシュロッドの復帰はホース締金の弾力の作用下でいわば自動的に行われることとなる。
【００１２】
本発明により、２つの締付けあごはそれぞれ独立してボーデンケーブルと連携する基本的に独立した要素片として形成されているのも特に好適である。この場合、第一のあご片の縦通固定孔の前端にボーデンケーブル套管が固定され、他方、第一のあご片の裏面に突き出た芯線の端部は第二のあご片に保定されている。ここで双方のあごはサイドストッパを有した横行外嵌溝を有し、双方のあごは該溝を介して外挿シュー状に半径方向からばね締金アームに外嵌めされる。したがってボーデンケーブルが弛められていれば、締金ないし締金アームがいかなるポジションにあろうとも、該あごを問題なく半径方向から該アームに外嵌し、その後にアームの締付け圧接を行うことができる。これらのあごは締金アームが締付けられてほぼ平行に整列する場合にも該アームから外れることはない。横行外嵌溝は引張り方向すなわちボーデンケーブルの延び方向に対して垂直に配向されているが、ばね締金アームの端部が締金円周と平行に配向されている場合には該アーム端と平行に配置することも可能である。
【００１３】
また、ボーデンケーブル端を第二のあごに固定取付けせず、あごの上面に引張り方向に向けて設けられた溝を経て容易かつ簡単に該あごに掛止できるようにすることにより、独立した２つのあごの組み付けを特に容易に行うことができる。あごからの外れを防止するため、芯線端にはフックまたは円筒状ないし円錐状に肥大した掛止具を設けることができる。掛止具が圧接される側のあご面にはさらに適切な収容部、たとえば掛止溝と同心的に形成されて掛止具を収容して軸方向に支保する孔を設けることができる。また、ボーデンケーブル芯線を第一のあごに掛合させて該あごを通すことも可能である。そのためには、ボーデンケーブル套管の端部に押圧具を設け、該押圧具がボーデンケーブル操作中第一のあごの前面に圧接されているのが有益である。これにより双方のあご片の上面を同一に形成することが可能であり、すなわち上面にボーデンケーブル芯線を収容する受け溝を設け、場合によりそれぞれのあごの外側端面にそれぞれ芯線支保端またはボーデンケーブル套管押圧具用の窪みを設けることができる。
【００１４】
シュー状に半径方向から締金アームに外嵌される掴みあごに代えて、締金アームに外嵌掛合される角形フレームを設けることができる。この場合、２本の締金アーム用にそれぞれ１つの角形フレームが設けられてよい。ただし、第一の締付けあごに代えて単に１本の締付け横けたを、第二の締付けあごに代えて１つの角形フレームを設けることも可能であり、これらはさらに套管または芯線に直接固定されているかまたはそれぞれアングルアームを経て套管または芯線と結合されることによりアーム付け根でフレームに作用が及ぼされ、引張り力は半径方向に変位させられ、締付けモーメントが引き上げられるようにすることができる。
【００１５】
ただし２つの締付けあごは――最も広い意味で前記公知のホース締金用やっとこの締付け具と同様に――１本のスライドアームを介して互いに可動式に連結されていてよく、この場合、該スライドアームは本発明により締金円周方向に弾性的に彎曲し得る帯状ばね鋼で形成されているのが好適である。これにより締付けあご相互ないし締金アーム収容横行溝相互の角度を調整することができる。締付けあごは、これにより、弛められた状態の締金アームないしホース締金が締付けられた状態における締金アームの配向角度に合わせ半径方向から正しく締金アームに外挿することができる。この場合、締付け引張り方向に延びて該方向において第一の締付けあごを可動式に貫く第二の締付けあごのばね式スライドアームは双方のあごが最も離間した位置にある場合にも第一の締付けあごから僅かに突き出ており、この突き出た端部に掛止穴を有している。この掛止穴にはたとえば掛止フックを経てボーデンケーブル芯線を掛止することができる。ボーデンケーブル套管はプッシュボディーに固定されており、該プッシュボディーは套管から突き出た芯線と第一の締付けあごから突き出たばねアーム端とを軸方向において包容し、同時にその端面で第一の締付けあごの前面に当接する。工具が操作されると芯線が張られ、套管はプッシュボディーとともに前方へ送られ、これにより第一の締付けあごが第二の締付けあごに向かって押圧される。あご横行溝内に嵌挿されているばね締金アームはこれにより対向運動させられ、こうしてばね締金は拡開ないし弛緩される。さらに、第一のあごに設けられた締付けねじにより可動式ばねアームを締付け固定することができ、これによって締金アームを挟扼圧接ポジションに保つことができるためボーデンケーブルを締付け具から取り外すことが可能である。
【００１６】
圧接ないし締付けられた締金アームに軸方向から外嵌めされる基本的にＵ字形に形成された掴みフレームを設けるのも有益である。これにより締金アームをそれが締付けられた状態に確実に保つことができるため、締付けあごを該アームから取り外し、工具全体を別途使用することが可能である。もしもたとえばホースに再度締金を締付ける必要が生ずる場合には、掴みフレームをやっとこまたはドライバーをてことして利用して取外しもしくは押し出せば、締金は弾力によって収縮し、締金アームは接線方向に互いに離間することとなる。
【００１７】
掴みフレームは一体式に形成されているかまたはそれ自体公知の固定装置たとえば締付けレバーまたは締付けねじにより所望のあご締付けポジションに固定することのできる互いに可動式の２体の掴みフレームから成っていてもよい。
【００１８】
（発明を実施するための最良の形態）
以下、図面を参照し、複数の実施例を挙げて本発明を詳細に説明する。
【００１９】
図１から判明するように、特に自動車組立て分野で使用されるホース締金１は１本の細い締金アーム２と１本の幅広の締金アーム３とを有し、両者は締付け直径５を有する締金リング４から基本的に半径方向に突き出ている。この場合、幅広の締金アーム３は細い締金アーム２に向かって折り返された１つの短い突起６を有している。
【００２０】
図２は図１に示した締金の締金アームが弛緩された状態――これは同時にホースを締付ける状態となる――を軸方向から眺めた断面を示している。同図において破線で示したのは前記の締金１の締金アームが挟扼された状態、つまり締金アーム２，３が挟扼されて互いに圧接された状態を示しており、これにより締付け直径５は拡張された弛緩直径７となり、固定されるべきホースに対して締金は弛緩した状態となる。ホース締金１が弛緩される場合には工具の当該締付け具を介して２本の締金アーム２，３が挟扼されて互いに圧接され、他方、圧接力が緩められると該アームはばね力により再び互いに離間し、締金はホースの周囲を圧縮してホースを当該部品に締付け固定することとなる。
【００２１】
図３〜５に示した第一の実施形態の工具は基本的に、操作部１０、該操作部と連結した１本のボーデンケーブル１１および該ケーブルの他端に配されて締金１に作用する締付け具１２から成っている。
【００２２】
操作部１０はそれ自体公知のシール・接着剤用カートリッジガンの操作部とほぼ同一もしくは少なくとも機能的に等しく形成されており、前方に突き出たカートリッジ収容部を欠き、プッシュロッドがもっと短い点でのみ該カートリッジガンと相違している。この場合、操作部はケーシング１３を有し、該ケーシングの上側ヘッド部１４は軸方向可動式にプッシュロッド１５によって貫かれ、さらに基本的にＵ形断面の、下方に延びたケーシングアーム１６を有している。ケーシング１３には、しかも基本的にケーシングアーム１６の上方ゾーンにおいて、回旋軸１８を経て操作アーム１７が連結されており、該アームはまっすぐに延びてプッシュアーム１９を形成し、該ロッドの、プッシュロッド１５の下側に達する上端には横方向に延びるプッシュピン２０が固定されている。操作アーム１７も、特に図５から看取されるように、Ｕ形断面を有している。
【００２３】
ケーシングヘッド部１４の内部ではプッシュディスク２１が可動式にプッシュロッド１５に担持され、該ディスクの下側セグメントに操作アーム１７のプッシュピン２０が当接され、該ピンにプッシュロッド１５に担持されて前端壁２３とプッシュディスク２１との間に配置された圧縮コイルばね２２の圧力が作用する。この場合、プッシュディスク２１の内孔２４は該内孔を貫くプッシュロッド１５の直径に比較して多少大き目に設計されており、これにより工具操作時、したがって操作アーム１６と１７とが握持挟扼される際に回旋運動を実施する操作アーム１７はプッシュアーム１９ないしプッシュピン２０を介してプッシュディスク２１に偏心的に作用して該ディスクを前方へ押し、これにより該ディスクは前記内孔を経てプッシュロッド１５に対して傾倒して自らの前進運動に該プッシュロッドを同伴することとなる。この同伴運動をさらに確実としまたは該ディスクと該プッシュロッドとの係合を確実とし得るように、プッシュロッド１５の長手方向上側面に切込み２５を設けることができるが、これは因みに前記カートリッジガンのプッシュロッドから同じく公知に属している。続いて操作アーム１７が弛められると圧縮コイルばね２２はプッシュディスク２１を再び後方へ押し戻し、アーム１７を当初ポジションに復帰させる。
【００２４】
ケーシングヘッド部１４の背面にはロック装置としてロックレバー２６が配され、該レバーはプッシュロッド１５によって貫かれたロック穴２７を有している。ロックレバー２６は下方に延びた弛めアームを有し、他方で、上方に向かって２段にクランクさせられた掛止アーム２８を有している。この掛止アーム２８はケーシングヘッド部１４の後面壁に設けられた挿し込み穴を通して挿し込まれて前方の掛止クランク突起によって掛止されているため、ロックレバー２６はケーシング内でのこうした掛止によって回旋式に支持されている。ロックレバー２６とケーシングヘッド部１４の後面壁との間には圧縮コイルばね３１が配置され、該コイルばねはロックレバー２６を常に後方に圧迫された姿勢、したがってロック穴２７を経てプッシュロッド１５の外周に傾倒した姿勢で圧接されたポジションに保持している。プッシュロッド１５が操作アーム１７、プッシュピン２０およびプッシュディスク２１を介して軸方向前方に前進させられると前記ロックレバーも共に容易に前方へ回旋され、これによって穴２７は該プッシュロッドを解放し、該ロッドは該穴を通って前方へ摺動することができる。ただし圧縮コイルばね３１はロックレバー２６をロック穴２７を経てプッシュロッド１５に圧接されて常に後方に圧迫されたポジションに保っており、これによりロックレバーが後方に圧迫された傾斜姿勢にあればプッシュロッド１５の後退運動は不可能である。続いて手を開いて操作レバー１７が弛められると圧縮コイルばね２２がプッシュディスク２１を再び後方へ押し戻し、これによって操作レバー１７は相応して弾性的に同伴され、当初ポジションに回旋復帰させられる。プッシュロッド１５はプッシュディスク２１の後退運動に際して不動もしくはロックレバー２６によって保持されたままであるが、これはプッシュディスク２１が滑らかに、したがって傾倒されずに、ばね２２の同心圧力下で後方へ戻されるからである。したがってプッシュロッド１５は操作アーム１７が握持挟扼されるとプッシュディスク２１を介して前方へ運動させられ、その際、ロックレバー２６は常にロックし得る態勢でプッシュロッドに接している。それゆえ操作レバー１７が弛められると、ばね圧力によってプッシュディスクは後方へ滑動するが、他方、ロックレバー２６は即座にプッシュロッドを保持して該ロッドの後方運動を阻止することとなる。操作アーム１７の握持挟扼によりプッシュロッドの僅かな送り運動が行われても、その都度該送り運動の最後にプッシュロッド１５は確実に保持されることとなる。ロックレバーの下方弛めアームがケーシングの方向に押されると、ロックレバー２６は傾斜したロック姿勢からプッシュロッドを解放する垂直姿勢に回旋され、こうしてプッシュロッドを後方の解除ポジションに復帰させることができる。この復帰は締付け具１２が引張り応力下にある場合にはばね締金１の力の作用によって行われる。該締付け部が前記応力下にない場合にはプッシュロッド１５の前記弾性復帰運動は行われず、後端に設けられたグリップ――この場合には下方に屈曲された引張りアーム３３――によってプッシュロッド１５が後方へ引戻されなければならない。
【００２５】
プッシュロッド１５の前端には締付けボディー３５が固定され、該ボディーは図示した実施例において偏心的に張出しており、該ボディーをプッシュロッド１５に嵌挿固定するための嵌挿孔と平行に設けられた固定孔３６を有している。該孔を通してボーデンケーブル１１はプッシュロッド１５の軸と平行にガイドされ、その際、ボーデンケーブル套管３７の端部は該孔に不動に固定される一方で後方に突き出たボーデンケーブル芯線３８はプッシュロッド１５と平行にケーブルヘッド部１４の前端壁２３まで引き寄せられ同所にボーデンケーブル芯線固定端３９が強固に固着される。
【００２６】
特に図３から看取されるように、ボーデンケーブル１１の他端には２つの独立した掴みあご４０と４１から成る締付け具１２が取付けられており、図中においてこれらの掴みあごはそれぞれ横行溝４２を経て締金アームに外嵌された状態で表わされている。ボーデンケーブル１１は第一の掴みあご４０を貫通し、ボーデンケーブル套管の末端は同所に固定されている。掴みあご４０を貫いてその内側端面からさらに延びるボーデンケーブル芯線３８の端部は掴みあご４１に固定されている。操作時したがってプッシュロッド１５の送り運動が行われるとプッシュロッドに固定された締付けボディーが共に前方へ押され、それと共に該締付けボディーに固定されているボーデンケーブルの套管も前方へ押される。ボーデンケーブル芯線３８はその固定端３９でケーシングに固定されていることにより、ボーデンケーブル套管３７の送りによって芯線は套管からケーシング方向に引張られ、これにより締付け具１２において２つのあご４０と４１との間に張られた芯線３８も相応してボーデンケーブル套管の内部に引込まれ、それと同時に２つのあご４０と４１との間の間隔が縮小される。２つのあご４０と４１とが引張りによって互いに引き寄せられることによりこれらのあごが外嵌されている締金アーム２と３も相応して互いに接近すなわち圧接され、こうして図２に破線で示したばね締金１の弛緩された状態が実現される。
【００２７】
図６〜８は第一の実施形態の締付け具１２を表わしたものであり、図３から看取されるものと基本的に同じである。２つのあご４０、４１は同じく独立したあご片として形成されており、第一のあご４０はそれを貫通するボーデンケーブル１１の套管３７と固定結合されているが、他方、この実施形態において第二のあご４１は芯線３８の末端と固定結合されてはいない。この場合、芯線３８はその末端に設けられた掛止ブロック４３によりあご４１に掛脱式に、詳細に言えば、あご４１の上面に引張り方向に向けて設けられた掛止溝４４を経て掛止することができる。掛止を確実にするため、あごの背面には掛止ブロック４３の形状に合わされた掛止孔４５が設けられており、掛止に際して該ブロックは引張り方向に引張られて該孔に嵌合して芯線の外れが防止される。芯線が第二のあご４１に対して掛脱式に形成されていることにより、非常に接近しにくい個所でも個々に独立したあごをそれぞれ別々に容易に締金アームに外嵌することができる。この場合、両者の機能的連結を行うには、芯線を第二のあご４１の後方まで引張ってあごに掛けさえすればよい。
【００２８】
図６に示したあご４１の背面を示した図７から掛止ブロック４３によって芯線３８を掛止するための掛止溝４４と掛止孔４５とを備えた前記の実施形態を看取することができる。さらに同図から、細い締金アーム２――理解を容易にするため図中に破線で表わされている――に対するあご４１の外嵌を確実にするため、横行溝４２の側方限界を形成するガイドピン４６が設けられている点も看取することができる。このガイドピン４６に代えて適切な側壁を設けるかまたは横行溝とガイドピンに代えて、細い締金アームを嵌挿するための下方にのみ開口した嵌挿孔をあご４１に直接設けることもできることは言うまでもない。
【００２９】
図８に背面を示した第一のあご４０には、ボーデンケーブル１１が貫通し、該ケーブルの套管端が同所に固定されている孔４７が上部に設けられているのが認められる。下部には、下方に開口した、横行溝にまで達する長方形の切欠き４８が設けられており、あご４０が幅広の締金アーム３に外嵌された状態で締金アーム３の折返し突起６は該切欠きから突き出ることとなる。突起６を側方から取り囲む切欠き４８によってあご４０の側方変位が制限される結果、このあごについてはたとえば横行溝４２の側方限界を形成する側壁によるさらなる変位制限は不要である。
【００３０】
図９に示したさらに別の実施形態の締付け具１２では第一のあごに代えて、基本的にＬ形またはほぼＺ形の断面形状を有した締付け帯板４９が設けられ、第二のあごに代えて、１本のフレーム枠片に芯線３８が固定結合された角形フレーム５０が設けられている。この角形フレーム５０はその長方形の穴５１を経て締金アームに外嵌掛止することができる。
【００３１】
図１０に示したさらに別の実施形態の締付け具１２では２本の締金アームの各々のためにそれぞれ１つの角形フレーム５０が設けられている。ただしこの場合、それぞれのフレームは芯線ないしボーデンケーブル套管と直接には結合されていず、Ｌ形ないしＺ形に曲げられた引張りアーム５２、５３を経て結合されている。この場合、双方の引張りアームは角形フレーム５０と関節式に連結されていてよく、これにより高さが非常に制限された場所での使用に関して一定の柔軟性が得られ、したがってそうした場所では比較的薄いフレームを締金アームに嵌めて問題なく操作することが可能であるとともに引張りアームを側方に向けることにより高さに関する当該個所のスペース要件を実際に不問とすることができ、垂直方向からの外嵌スペースを必要とするあご４０、４１を有した締付け具が使用不可能ないかなる場所にも使用することが可能である。また、前記の閉じた角形フレームに代えて、圧力（第一のフレーム）ないし引張り（第二のフレーム）を顧慮して設計されたフォーク状ないしフック状のフレームも使用し得ることは言うまでもない。
【００３２】
図１１に示した実施例の締付け具１２もあご５４、５５を有しており、これらのあごもそれらの外嵌状態に関して図３ないし図６〜８に示したあごと基本的に同様に形成されている。ただしこの場合、双方のあご５４、５５は掛脱式に単にボーデンケーブルによって互いに連結されているのではなく、後方のあご５５は引張り方向に長く延びた帯状のばねアーム５６を有し、該アームは第一のあご５４を可動式に貫き、該あご内において固定ねじ５７によって位置固定されるように形成されている。あご５４から突き出たばねアーム５６の端部には掛止穴５８が設けられており、ボーデンケーブル芯線の先端に設けられた掛止フック５９が該穴に掛止される。さらにボーデンケーブル套管が固定されたプッシュボディー６０が設けられており、該ボディーはその下側長手溝６１により掛止フック５９を有した芯線端――図示したように該芯線端はボディーから突き出ることもできる――を長手方向に包容し、ばねアーム端を経て作用を及ぼすことができる。芯線端のフックが掛止穴５８に掛止された後、言うまでもなく固定ねじ５７が弛められ、工具操作つまりプッシュロッドとともにボーデンケーブル套管の送りが行われるとプッシュボディー６０の端面はあご５４の前端面に、あご５５の押圧方向に圧接されることとなり、この場合同時にばねアーム５６はフック５９を経てボーデンケーブル芯線に結合されている。この実施例の締付け具１２においてあご５４、５５を介してばねアームの引張りが実施され、それによってホース締金の拡開が行われた後、固定ねじ５７の締付けとそれによるあご５４内におけるばねアーム５６の固定とによって双方のあご５４、５５は互いに位置固定されることが看取される。これにより工具を弛め、固定されたあご５４、５５からボーデンケーブルをプッシュボディー６０および掛止フック５９とともに取り外すことができる。こうして該ケーブルを別のあご５４、５５に使用してさらに別のホース締金の拡開に使用することができ、あるいは工具を脇に置き、それがホースないしホース締金に関するその他の作業の邪魔にならないようにすることができる。さらに、あご外嵌方向への彎曲を許容するばねアーム５６を介して２つのあご５４、５５が連結されていることにより、破線で示した然るべく彎曲された図から看取し得るように、ばね締金の２本のアームにあご５４、５５を最適に外嵌することが可能である。
【００３３】
図１２に示した本発明による工具の第二の実施例において、付属の締付け具は図中に表わされていない。ただし、図３〜１１に図解した締付け具１２のうちのいずれかを必要に応じて使用し得ることは言うまでもない。この実施形態の操作部１０は図３に示した操作部と基本的に同じ要素を有している。この場合にもケーシングヘッド部１４とケーシングアーム１６とが設けられ、該アームに回旋軸１８を経て操作アーム１７が回旋式に取付けられている。該アームは図示されていないプッシュアーム、プッシュピンおよびプッシュディスクを経てプッシュロッド１５に作用して該ロッドを前進させる。ただしこの実施例において、アーム１７は直接手で挟扼されるのではなく、ケーシングアーム１６の下端に軸６３を経て回旋支持された引金式レバーが設けられており、アーム１７は該レバーの短冊穴６６にピン６５を介して連結されている。引金式レバー６４が挟扼されるとピン６５を経てアーム１７が押され、これにより当該のその他の要素を経てプッシュロッド１５が前進させられる。操作ストロークは、当該のカートリッジガンの場合と同様に、引金式レバー６４に設けられた調節ねじ６７によって制限することができる。したがってその具体的な実施形態を詳細に述べることはしない。
【００３４】
この実施形態においてもケーシングの背面には圧縮コイルばね３１によってプレストレスされた弛めアーム３２を備えたロックレバー２６が設けられている。ただしこの場合、弛めアーム３２はもはや単に後方への単純な滑動ガイドを行うだけでなく、前方に向かってＵ字形に形成されてケーシングを部分的に取り囲んでいる。またプッシュロッド１５の後端にはフック状の引張りアームに代えてディスクが取付けられている。最後にケーシングヘッド部の上部には懸架穴６８が設けられるかもしくはケーシングと一体成形されている。ケーシングはここで看取されるようにプラスチック射出成形品であり、他方、図３に示した実施例のケーシングと操作アームとは簡単な薄板部品として製造されていてもよい。
【００３５】
図１２に示した実施形態において、ケーシング前端面には固定ボディー７０が取付けられ、該ボディーを貫いてプッシュロッド１５は同じく同心可動式に案内されており、今や固定ボディー７０の前端面７１が図３に示した実施例の前端壁２３の役割を果たしている。したがって該端面にボーデンケーブル芯線３８が固定されており、この実施形態では３本のボーデンケーブル１１が設けられていることから、固定ボディー７０にも相応して３本の芯線３８が取付けられている。固定ボディー７０はケーシングに固定取付けされ、同じく芯線３８も該ボディーに固定取付けされていてよい。ただし芯線３８はそれ自体公知の適切な方法により固定ボディー７０に容易に掛止・掛脱し得るようにして配置することも可能である。このボーデンケーブル３本式タイプにあっては締付けボディー３５にもボーデンケーブル用の３つの通し孔が設けられていることは言うまでもない。さらに同図に示したように、ボーデンケーブルは締付けねじ７２によってそれぞれ締付けることができることから、芯線を套管内に不動固定することが可能である。これにより、締付け具を締付けた状態で、締付けボディー３５でボーデンケーブルの係止を行うことができるため、締付けボディー３５と芯線３８をプッシュロッド１５ないし固定ボディー７０から連結外しないし掛脱することができ、こうして締付け具をボーデンケーブルとともに独立したユニットとして扱うことができることとなる。これにより操作部を自由に別途使用することが可能である。
【００３６】
図１３はケーシングから取り外された固定ボディー７０を表わしたものであり、ここでは該ボディーに１本のボーデンケーブルのみが、締付けねじ７２によって締付けボディー３５内で固定されるようにして、取付けられている。
【００３７】
図１４は掴みフレーム７３を示したものであり、該フレームは基本的にＵ字形に形成されており、ホース締金を締金アームを介して締金アーム圧接状態したがってホース締金が拡開された状態に保持するために使用される。この場合、掴みフレーム７３の嵌め込み用切欠き７４の幅は締金アームが然るべく圧接された状態で該アームに軸方向から外嵌されてアームを確実に囲むように形成されている。工具が弛められた後、締金アームは該アームのばね圧下でフレームアームに支保されている。本発明により締付けストロークはそれぞれ所望の最大ストロークに達するまで比較的短い個々のストロークによって実施することができるため、締付け具の締付けあごを締金アームに装着した後、締付け操作を片手で実施することができ、こうして圧接された締金アームに他方の手で掴みフレームを確実に外嵌することができる。その後――同じく片手で――ロックレバーの弛めアームを経て締付け具を弛めることができることから、弾性締金アームは掴みフレームアームに当接するまで戻り、同所でポジションロックされることとなる。
【００３８】
最後に図１５に示したさらに別の実施形態の掴みフレーム７３は二体式の実施形態として形成されている。この場合、掴みフレームは互いに可動式のフレームあご７５と７６から成り、これらのあごは締付けレバー７７により相互のポジションを固定することができる。これにより保持用切欠き７４の幅をそれぞれの必要に合わせることが可能であり、あるいは該フレームの外嵌ないし取り外しをより迅速かつ確実に行うことができることとなる。
【図面の簡単な説明】
【図１】  図１は、それ自体公知のばね締金の全体像を示した図である。
【図２】  図２は、図１に示したばね締金の締金アームが締付けられた状態（破線で図示）と弛められた状態におけるばね締金を軸方向から眺めた図である。
【図３】  図３は、第一の実施形態の工具の長手軸方向断面図である。
【図４】  図４は、図３の切断線ＩＶ−ＩＶで切断した軸方向断面を示した図である。
【図５】  図５は、操作アームを通る図３の切断線Ｖ−Ｖで切断した断面を示した図である。
【図６】  図６は、個々のあご片と掛止式の芯線とを有した第一の実施形態の締付け具の全体像を示した頭である。
【図７】  図７は、第二のあご片の背面を示した図である。
【図８】  図８は、図６に示した第一のあご片の背面を示した図である 。
【図９】  図９は、締付けけたと締付け用角形フレームとを有した第二の実施形態の締付け具の全体像を示した図である。
【図１０】  図１０は、屈曲アームの取付けられた２つの角形フレームを有した第三の実施形態の締付け具の全体像を示した図である。
【図１１】  図１１は、可動式ばねアームで連結された締付けあごを有した第四の実施形態の締付け具の全体像を示した図である。
【図１２】  図１２は、引金式操作レバーを備え、３つの締付け装置と連結された第二の実施形態の工具の側面図である。
【図１３】  図１３は、図１２に示した工具用の、単一の締付け装置と連結された固定ボディーを示した図である。
【図１４】  図１４は、一体式掴みフレームの全体像を示した図である。
【図１５】  図１５は、二体式の調節式掴みフレームの全体像を示した図である。
【符号の説明】
１．ホース締金
２．締金アーム、細身
３．締金アーム、幅広
４．締金リング
５．締付け直径
６．突起
７．締付け直径、拡開状態
８．―
９．後端壁
１０．操作部
１１．ボーデンケーブル
１２締付け具
１３．ケーシング
１４．ヘッド部
１５．プッシュロッド
１６．ケーシングアーム
１７．操作アーム
１８．回旋軸
１９．プッシュアーム
２０．プッシュピン
２１．プッシュディスク
２２．圧縮コイルばね
２３．前端壁
２４．内孔
２５．切込み
２６．ロックレバー
２７．ロック穴
２８．掛止アーム
２９．掛止クランク突起
３０．挿し込み穴
３１．圧縮コイルばね
３２．弛めアーム
３３．引張りアーム
３４．―
３５．締付けボディー
３６．固定孔
３７．ボーデンケーブル套管
３８．ボーデンケーブル芯線
３９．固定端
４０．あご
４１．あご
４２．横行溝
４３．掛止ブロック
４４．掛止溝
４５．掛止孔
４６．ガイドピン
４７．孔
４８．切欠き
４９．締付け帯板
５０．角形フレーム
５１．穴
５２．Ｌ形引張りアーム
５３．Ｚ形引張りアーム
５４．あご
５５．あご
５６．ばねアーム
５７．固定ねじ
５８．掛止穴
５９．掛止フック
６０．プッシュボディー
６１．長手溝
６２．―
６３．軸
６４．引金式レバー
６５．ピン
６６．短冊穴
６７．調節ねじ
６８．懸架穴
６９．―
７０．固定ボディー
７１．前端面
７２．締付けねじ
７３．掴みフレーム
７４．嵌め込み用切欠き
７５．フレームあご
７６．フレームあご
７７．締付けレバー
【図１】
0004942274.tif 000002
【図２】
0004942274.tif 000003
【図３】
0004942274.tif 000004
【図４】
0004942274.tif 000005
【図５】
0004942274.tif 000006
【図６】
0004942274.tif 000007
【図７】
0004942274.tif 000008
【図８】
0004942274.tif 000009
【図９】
0004942274.tif 000010
【図１０】
0004942274.tif 000011
【図１１】
0004942274.tif 000012
【図１２】
0004942274.tif 000013
【図１３】
0004942274.tif 000014
【図１４】
0004942274.tif 000015
【図１５】
0004942274.tif 000016